(57)【要約】      （修正有）【課題】従来の扇風機の首振りコンポーネントは首振り方向が単一であり、製品構造が類似している欠陥を解決する立体回転揺動構造の提供。【解決手段】第１回転コンポーネント１０は、第１回転軸１２と第１モータ１１を含み、前記第１回転軸にはワーク３０が固定して設置されており、前記第１モータは、前記第１回転軸を駆動して回転させ、前記ワークは、前記第１回転軸に伴って回転する。前記第２回転コンポーネント２０は、第２回転軸２２と駆動機構２１を含み、前記第１回転コンポーネントは、前記第２回転軸に設けられており、前記駆動機構は、前記第２回転軸を駆動して回転させ、それと共に前記第１回転コンポーネントを第２回転軸の周りに回転させ、前記ワークも第２回転軸の周りに回転する。前記第１回転軸の軸心線と前記第２回転軸の軸心線とは、同一平面における直線、又は異なる平面における直線であり、両者の夾角β≠０、９０°、１８０°である。【選択図】図１
2019090404.tif 000002
【特許請求の範囲】
【請求項１】
立体回転揺動構造であって、第１回転コンポーネントと第２回転コンポーネントを含み、前記第１回転コンポーネントは、第１回転軸と第１モータを含み、前記第１回転軸にはワークが固定して設置されており、前記第１モータは、前記第１回転軸を駆動して回転させ、前記ワークは、前記第１回転軸に伴って回転し、
前記第２回転コンポーネントは、第２回転軸と駆動機構を含み、前記第１回転コンポーネントは、前記第２回転軸に設けられており、前記駆動機構は、前記第２回転軸を駆動して回転させ、それと共に前記第１回転コンポーネントを第２回転軸の周りに回転させ、前記ワークも第２回転軸の周りに回転し、前記第１回転軸の軸心線と前記第２回転軸の軸心線とは、同一平面における直線、又は異なる平面における直線であり、両者の夾角β≠０、９０°、１８０°であり、
前記第１回転コンポーネントはケースにより前記第２回転軸に設置され、前記ケースは球体や、楕円体、または一部が切られた球体または一部が切られた楕円体形であり、その断面が平面や、弧状面、不規則面であり、
前記ケースの断面と前記第２回転軸の軸心の延長線との夾角αは、０＜α＜１８０°であり、かつα≠９０°であることを特徴とする立体回転揺動構造。
【請求項２】
前記ケースは、前記第２回転軸に固定して設置され、前記第２回転軸と共に同期して回転し、前記第１モータは、前記ケースに固定して設置され、前記ケース内部又は外部に位置しており、前記第１回転軸及び前記ワークは、前記ケースに収容されていることを特徴とする請求項１に記載の立体回転揺動構造。
【請求項３】
前記夾角βは、３０°＜β＜６０°であり、前記夾角αは、０＜α＜９０°であることを特徴とする請求項１に記載の立体回転揺動構造。
【請求項４】
前記第１回転軸の軸心線と前記第２回転軸の軸心線との交点は、球心であることを特徴とする請求項３に記載の立体回転揺動構造。
【請求項５】
前記ケースは、半球体又は半楕円体であり、半球体又は半楕円体の断面が第１回転軸に垂直することを特徴とする請求項４に記載の立体回転揺動構造。
【請求項６】
前記第２回転コンポーネントは、台座に設けられており、前記台座には、水平面に対して鋭角になる装着面が設けられており、前記第２回転軸は、前記装着面に垂直して設置されていることを特徴とする請求項１乃至５のいずれか一項に記載の立体回転揺動構造。
【請求項７】
前記台座は、さらに、円錐台状のベースを有し、前記ベースには弧状面が設けられており、前記弧状面、前記装着面及び前記ベースは、キャビティを構成し、前記駆動機構は、前記キャビティに設けられていることを特徴とする請求項６に記載の立体回転揺動構造。
【請求項８】
前記駆動機構は、前記台座内に設けられる第２モータと、前記第２モータの主軸に覆設される駆動歯車と、前記第２回転軸に覆設される被動歯車とを含み、前記駆動歯車と前記被動歯車とは、相互に噛み合い、前記第２回転軸は、前記被動歯車に設けられていることを特徴とする請求項７に記載の立体回転揺動構造。
【請求項９】
前記ベースにはハンドルが設けられ、前記ハンドルは、前記弧状面に設けられていることを特徴とする請求項７に記載の立体回転揺動構造。
【請求項１０】
請求項１乃至９のいずれか一項に記載の立体回転揺動構造を有する扇風機、扇風機型のヒーター又はフラッシュランプ。
【発明の詳細な説明】
【技術分野】
【０００１】
本発明は、電気機器の技術分野に関し、具体的には、立体回転揺動構造に関する。
【背景技術】
【０００２】
従来、普通の回転揺動構造は、例えば、扇風機の通常の回転構造がモータとモータの回転軸に設けられるファンブレードを含み、モータは、ファンブレードを駆動して回転軸の周りに回転させる。このような通常の扇風機の送風方式は、送風範囲が比較的小さく、風が柔らかではなく、人々のニーズを満たすことができない。既存技術では、扇風機が回転すると共に揺動する必要があり、それにより、送風範囲を拡大し、人間に快適な体感を与える。
【０００３】
現在、通常の扇風機揺動方式は、ファンを左右揺動させ、或いは上下揺動させることである。例えば、中国特許の出願番号ＣＮ２０１５１０７８９７６８．６には送風装置を開示しており、ファンモータと、上記ファンモータの出力軸に取り付けられるファンと、ファン保護カバー及びモータケーシングを有し、上記ファン保護カバーが上記ファンを覆い、上記モータケーシングが上記ファン保護カバーの後方に配置し、上記ファンモータを収納するハウジングと、上記モータケーシングを支持し、上記モータケーシングを上下方向へ回動させることができる回動軸と、上記モータケーシングに設けられて、上記モータケーシングを上下方向へ回動させる首振りモータとを含み、上記ファンモータは、上記回動軸の前方に配置され、上記首振りモータは上記回動軸の下方または上方に配置されている。当該送風装置は、自動首振り機構が設けられると共に、スペース節約を実現することができる送風装置であり、ハウジングは、ファンモータの後方の略水平方向に配置される回動軸の周りに回動することにより上下方向に首振りする。
【０００４】
さらに、中国特許の出願番号ＣＮ２００９１００３９２８６．３には、立体首振り可能な卓上型扇風機を開示しており、ベースと、支持ハウジングと、支持ハウジングの両側に回動可能に取り付けられる扇風機本体とを含む。前記扇風機本体は、モータと、ファンブレードと、保護カバーとを含み、前記支持ハウジングは、ベースに回動可能に取り付けられ、ベースと支持ハウジングとの間には支持ハウジングを左右揺動させるクランクロッカー機構が設けられている。前記支持ハウジングと扇風機本体との間には扇風機本体を上下揺動させる別のクランクロッカー機構が設けられている。当該構成を採用する立体首振り可能な卓上型扇風機は、左右揺動して送風することができ、上下揺動して送風することもできる。
【０００５】
上記技術は、扇風機が回転すると共に、左右揺動し、或いは上下揺動して首振りすることを実現する。
【０００６】
しかしながら、その運動軌跡は、単一平面におけるリニア往復運動に限定され、本当の立体首振りを実現しない。
【発明の概要】
【発明が解決しようとする課題】
【０００７】
既存技術の不足を克服するために、本発明は、立体回転揺動構造を提供する。当該立体回転揺動構造は、２組の回転コンポーネントを有し、そのうちの１組の回転コンポーネントは、その回転軸の周りに回転すると共に、別の回転コンポーネントの駆動で別の回転軸の周りに回転し、それにより、本当の空間的な立体首振りを実現し、従来の扇風機の首振りコンポーネントの首振り方向が単一であり、製品構造が類似している欠陥を解決する。
【０００８】
本発明は、以下の技術案を採用する。
立体回転揺動構造であって、第１回転コンポーネントと第２回転コンポーネントを含み、前記第１回転コンポーネントは、第１回転軸と第１モータを含み、前記第１回転軸にはワークが固定して設置されており、前記第１モータは、前記第１回転軸を駆動して回転させ、前記ワークは、前記第１回転軸に伴って回転する。前記第２回転コンポーネントは、第２回転軸と駆動機構を含み、前記第１回転コンポーネントは、前記第２回転軸に設けられており、前記駆動機構は、前記第２回転軸を駆動して回転させ、それと共に前記第１回転コンポーネントを第２回転軸の周りに回転させ、前記ワークも第２回転軸の周りに回転する。前記第１回転軸の軸心線と前記第２回転軸の軸心線とは、同一平面における直線、又は異なる平面における直線であり、両者の夾角β≠０、９０°、１８０°であり、前記第１回転コンポーネントはケースにより前記第２回転軸に設置され、前記ケースは球体や、楕円体、または一部が切られた球体または一部が切られた楕円体形であり、その断面が平面や、弧状面、不規則面であり、前記ケースの断面と前記第２回転軸の軸心の延長線との夾角αは、０＜α＜１８０°であり、かつα≠９０°である。
【０００９】
前記立体回転揺動構造は、さらに、ケースを含み、前記ケースは、前記第２回転軸に固定して設置され、前記第２回転軸と共に同期して回転する。前記第１モータは、前記ケースに固定して設置され、前記ケース内部又は外部に位置している。前記第１回転軸及び前記ワークは、前記ケースに収容されている。
【００１０】
前記立体回転揺動構造において、夾角βは、３０°＜β＜６０°であり、前記夾角αは、０＜α＜９０°である。
【００１１】
前記第１回転軸の軸心線と前記第２回転軸の軸心線との交点は、球心である。
前記ケースは、半球体又は半楕円体であり、半球体又は半楕円体の断面が第１回転軸に垂直する。
【００１２】
前記第２回転コンポーネントは、台座に設けられており、前記台座には、水平面に対して鋭角になる装着面が設けられている。前記第２回転軸は、前記装着面に垂直して設置されている。
【００１３】
前記台座は、さらに、円錐台状のベースを有し、前記ベースには弧状面が設けられており、前記弧状面、前記装着面及び前記ベースは、キャビティを構成し、前記駆動機構は、前記キャビティに設けられている。
【００１４】
前記駆動機構は、前記台座内に設けられる第２モータと、前記第２モータの主軸に覆設される駆動歯車と、前記第２回転軸に覆設される被動歯車とを含み、前記駆動歯車と前記被動歯車とは、相互に噛み合い、前記第２回転軸は、前記被動歯車に設けられている。
【００１５】
好ましくは、前記ベースにはハンドルが設けられ、前記ハンドルは、前記弧状面に設けられている。
【００１６】
上記立体回転揺動構造を有する扇風機、扇風機型のヒーター又はフラッシュランプなどを含む。
【００１７】
本発明は、以下のような有益な効果を有している。本発明に係る立体回転揺動構造は、異なる方向の２組の回転コンポーネントが設けられており、ワークは、第１回転コンポーネントの駆動で平面に３６０°回転すると共に、第２回転コンポーネントの駆動で、立体回転揺動し、それにより、本当の空間的な立体首振りを実現し、従来の回転揺動構造は首振り方向が単一であり、製品構造が類似している欠陥を解決する。
【図面の簡単な説明】
【００１８】
【図１】図１は、本発明に係る立体回転揺動構造の断面図である。
【図２】図２は、本発明に係る立体回転揺動構造の初期状態の構成を示す模式図である。
【図３】図３は、図２に示す立体回転揺動構造が反時計回りに９０°回転する構成を示す模式図である。
【図４】図４は、図２に示す立体回転揺動構造が反時計回りに１８０°回転する構成を示す模式図である。
【図５】図５は、図２に示す立体回転揺動構造が反時計回りに２７０°回転する構成を示す模式図である。
【図６】図６は、本発明に係る立体回転揺動構造の他の構成を示す模式図である。
【図７】図７は、本発明に係る立体回転揺動構造の別の構成を示す模式図である。
【発明を実施するための形態】
【００１９】
本発明の目的、技術案及び技術効果をより明瞭するために、以下、具体的な実施形態を結合して本発明をさらに説明する。
【００２０】
ここで記述した具体的な実施例は、本発明を解釈するためのものであり、本発明を限定するものではない、と理解すべきである。
【００２１】
本発明の実施例では、すべての方向的な指示、例えば、上、下、左、右、前、後などは、ある特定の状態（図面のように）で各部材間の位置関係、運動状況などを解釈するためのものであり、当該特定の状態が変化すると、当該方向的な指示も相応的に変化する。本発明の実施例において、便宜のために、紙面の手前側を前方とし、対向する方位を後方とし、紙面の左側に向ける方位を左方とし、図面の右側に向ける方位を右方とする。
【００２２】
本発明では、ある素子が別の素子に固定され、或いは設置されると説明する場合、当該素子は、直接的に別の素子に位置し、或いは、介在素子が存在してもよい。ある素子が別の素子に接続すると説明する場合、当該素子は、直接的に別の素子に接続し、或いは、同時に介在素子が存在してもよい。
【００２３】
なお、本発明では、「第１」、「第２」などの説明は、説明の便宜のためのものであり、その相対的な重要さを指示し、暗示し、或いは、指示した技術特徴の数量を示唆するものではない。従って、「第１」、「第２」が限定された特徴は、少なくとも１つの当該特徴を含むことを明示し、或いは示唆することができる。また、それぞれの実施例間の技術案は、相互に結合することができるが、必ず当業者が実現することができることを基礎とする。技術の結合は、お互いに矛盾し、或いは実現することができない場合、この技術案の結合は存在せず、本発明の保護範囲に含まれないものと認められる。
【００２４】
図１に示すように、立体回転揺動構造であって、第１回転コンポーネント１０と第２回転コンポーネント２０を含む。前記第１回転コンポーネント１０は、第１回転軸１２と第１モータ１１を含み、前記第１回転軸１２にはワーク３０が設けられており、前記第１モータ１１は、前記第１回転軸１２を駆動して回転させ、前記ワーク３０もそれに伴って回転している。前記第２回転コンポーネント２０は、第２回転軸２２と駆動機構２１を含む。前記第１回転コンポーネント１０は、前記第２回転軸２２に設けられ、前記駆動機構２１は、前記第２回転軸２２を駆動して回転させ、前記第１回転コンポーネント１０を駆動して回転させ、前記ワーク３０は、それに伴って回転する。
【００２５】
前記第１回転軸１２の軸心線と前記第２回転軸２２の軸心線は、同一平面における交差直線であってもよいが、異なる平面における直線であってもよい。同一平面における直線であっても、異なる平面における直線であっても、両者の夾角をβと表記し、かつβ≠０、９０°、１８０°である。
【００２６】
言い換えれば、前記第１回転軸１２の軸心線と前記第２回転軸２２の軸心線は、重合せず、平行しない。両者が平行し、重合し、或いは垂直するとき、回転揺動の効果を実現することができない。
【００２７】
前記第１回転コンポーネント１０は、前記第２回転軸２２に設けられており、それが中間接続具により実現することができる。当該中間接続具は、前記第２回転軸２２に設けられ、かつ前記第２回転軸２２の周りに回転することもでき、前記第１回転コンポーネント１０は、当該中間接続具に取り付けられ、当該中間接続具及び第２回転軸２２に伴って同期して回転できればよい。
【００２８】
本発明の好ましい実施例において、前記中間接続具は、ケース４０になるように設置される。前記ケース４０は、前記第２回転軸２２に固定して設置され、前記第２回転軸２２と共に同期して回転する。前記第１モータ１１は、前記ケース４０に固定して設置され、前記ケース４０の内部又は外部に位置している。前記第１回転軸１２及び前記ワーク３０は、前記ケース４０に収容されている。
【００２９】
前記ケース４０の形状は、実際の必要に応じて設置することができ、特定の形状に限定されない。本発明の好ましい実施形態として、前記ケース４０は、球形、楕球形、又は一部が切られた球形や楕球形である。好ましくは、最適な回転揺動の効果を呈するために、前記ケース４０は、半球形又は半楕球形として選択される。断面は、使用の結果に基づいて、或いは、美観の効果を追求するために、平面や、弧状面、不規則面になるように設置される。
【００３０】
好ましくは、図１に示すように、本実施例は、扇風機を例とし、本発明に係る立体回転揺動構造を説明する。当該実施例では、前記ワーク３０は、ファンブレードである。前記ケース４０は、半球形であり、その半球形の断面にはファンカバー４２が取り付けられている。
【００３１】
前記第１回転コンポーネント１０は、前記ケース４０内に設置される。前記第１モータ１１は、前記ケース４０に取り付けられる。前記第１モータ１１における第１回転軸１２及び当該第１回転軸１２に取り付けられるファンブレード（例えば、前記ワーク３０）は、共に、ケース４０内に収容されている。
【００３２】
前記ケース４０は、前記第２回転軸２２に取り付けられ、かつ前記第２回転軸２２と共に回転する。前記第２回転軸２２は、台座５０に取り付けられている。前記駆動機構２１は、前記台座５０に収容されて前記第２回転軸２２を駆動して回転させる。
【００３３】
前記第１回転軸１２と前記第２回転軸２２との間の夾角βは、０〜９０°のいずれかの角度である。好ましくは、１０°＜β＜８０°、より好ましくは、３０°＜β＜６０°。最も好ましくは、βが４５°である。
【００３４】
前記第１回転軸１２と前記第２回転軸２２の軸心線は、異なる平面に設置することができ、本発明の立体回転揺動効果を実現することもできる。しかしながら、扇風機の構成を安定させ、或いは、構成や、視覚的調和を求めるために、最適な実施例には、前記第１回転軸１２と前記第２回転軸２２の軸心線は、同一平面に設けられて、かつ両者が共に球心を通過する。
【００３５】
図２に示す状態が前記立体回転揺動構造の初期状態であり、前記ケース４０における断面４１は、右方に向かって水平面に垂直している。
【００３６】
前記第１回転コンポーネント１０と第２回転コンポーネント２０を起動する。前記第１モータ１１は、前記第１回転軸１２及びファンブレードを駆動して回転させる。前記ファンブレードは、前記第１回転軸１２に垂直する面で回転する。このとき、前記駆動機構２１は、前記第２回転軸２２を駆動して回転させ、前記ケース４０を同期させて回転させる。前記第１回転コンポーネント１０も前記ケース４０と共に同期して回転する。
【００３７】
前記第２回転軸２２が反時計回りに９０°回転するとき、前記ケース４０も反時計回りに９０°回転して図３に示す状態になる。このとき、前記ケース４０における断面４１は前記第２回転軸２２の軸心延長線の周りに反時計回りに９０°回転し、右後方へ向かって、かつ水平面に対して傾斜する。
【００３８】
前記第２回転軸２２が反時計回りに１８０°回転するとき、前記ケース４０も反時計回りに１８０°に回転して図４に示す状態になる。このとき、前記ケース４０の断面４１は、前記第２回転軸２２の軸心延長線の周りに反時計回りに１８０°回転し、上方へ向かって水平面に平行する。
【００３９】
前記第２回転軸２２が反時計回りに２７０°回転するとき、前記ケース４０も反時計回りに２７０°回転して図５に示す状態になる。このとき、前記ケース４０における断面４１は、前記第２回転軸２２の軸心延長線の周りに反時計回りに２７０°回転し、右前方へ向かって、かつ水平面に対して傾斜する。
【００４０】
前記第２回転軸２２が反時計回りに３６０°回転するとき、前記ケース４０も反時計回りに３６０°回転して図２に示す状態になる。このとき、前記ケース４０における断面は、前記第２回転軸２２の軸心延長線の周りに反時計回りに３６０°回転し、右方に向かって水平面に垂直する状態に戻す。
【００４１】
前記第２回転軸２２の軸心の延長線は前記ケース４０の断面４１に交差し、本発明の好ましい実施例において、前記第２回転軸２２の軸心の延長線と前記ケース４０の断面４１との夾角αは４５°である。
【００４２】
前記ケース４０の断面４１と前記第２回転軸２２の軸心の延長線との夾角αは４５°のみに限定されない。
【００４３】
実際には、前記夾角αの値の範囲は、０＜α＜１８０°であってもよく、かつα≠０、９０°、１８０°である。
【００４４】
その理由は、以下の通りである。αが９０°であると、前記断面４１は前記第２回転軸２２の軸心の延長線の周りに回転し、その回転軌跡が同一平面に集まり、以上のような反転又は揺動効果を発生することができない。αが０又は１８０°であるとき、前記第２回転軸２２の軸心の延長線が前記断面４１に位置し、前記断面４１は前記第２回転軸２２の軸心の延長線の周りに回転し、以上のような反転又は揺動効果を発生することができない。０＜α＜９０°であるとき、図２乃至図５に示すように、前記第２回転軸２２の軸心の延長線が前記断面４１を通過するとき、前記断面４１が前記第２回転軸２２の軸心の延長線の周りに回転して、良好な反転視覚効果を呈し、αが４５°であるとき、最適な反転視覚効果を奏する。
【００４５】
また、前記ケース４０の断面４１は、平面や、弧状面、不規則面であってもよい。図６に示すように、断面４１’が弧状面である場合、前記ケース４０の４１’と前記第２回転軸２２の軸心の延長線は、交点を有し、当該交点にて前記弧状面の接線を引き、前記第２回転軸２２の軸心の延長線と当該接線との夾角αは、値の範囲０＜α＜１８０°を満足すべきであり、かつα≠０、９０°、１８０°である。
【００４６】
好ましくは、前記立体回転揺動構造において、前記第２回転コンポーネント２０は、台座５０を含む。前記台座５０には前記装着面５１が設けられている。前記装着面５１と水平面との夾角の値の範囲は、０〜９０°である。好ましくは、４５°である。
【００４７】
好ましくは、図１に示すように、前記台座５０は、さらに、円錐台状のベース５３を有し、当該ベースには弧状面５２が設けられ、前記弧状面５２、前記装着面５１及び前記ベース５３は、キャビティを構成する。前記駆動機構２１は、前記キャビティに設置されている。このように設置することにより、前記立体首振り機構は、コーナーなどの構造に容易に取り付けられることができ、回転揺動過程において空間的障害が存在しない。
【００４８】
図７に示すように、前記駆動機構２１は、前記台座５０に設けられる第２モータ２１１と、前記第２モータ２１１に覆設される駆動歯車２１２と、前記第２回転軸２２に覆設される被動歯車２１３とを含む。前記駆動歯車２１２と前記被動歯車２１３は、相互に噛み合っている。前記第２回転軸２２は、前記被動歯車２１３に設けられている。
【００４９】
好ましくは、前記台座５０にはハンドル５４が設けられ、前記ハンドル５４は、前記弧状面５２に設けられている。
【００５０】
前記立体回転揺動構造は、扇風機型のヒーター、ステージフラッシュランプなどの立体回転揺動が必要である構成に適用できる。そのため、本発明は上記の立体回転揺動構造を有する扇風機、扇風機型のヒーター又はフラッシュランプなどを含んでもよい。
【００５１】
以上の内容は、具体的な好ましい実施形態を結合して本発明に対して行った更なる詳しい説明であり、本発明の具体的な実施は、これらの説明に限定されない。当業者であれば、本発明の構想を逸脱しない前提で、その構成を様々に改変することができ、一連の製品を派生することができる。
【００５２】
簡単的に推定し、或いは置換することは、本発明の登録請求の範囲に記載の保護範囲に含まれる。
【図１】
2019090404.tif 000003
【図２】
2019090404.tif 000004
【図３】
2019090404.tif 000005
【図４】
2019090404.tif 000006
【図５】
2019090404.tif 000007
【図６】
2019090404.tif 000008
【図７】
2019090404.tif 000009